(57)【要約】      （修正有）【課題】電動工具を雨水及び泥又は埃から護ることを目的とした工具用防水袋を提供する。【解決手段】電動工具１を収容する袋体２であって、該袋体の側面の一側に電動工具を収容するための開口部を有し、該開口部へ開閉用のファスナー４，５を付設すると共に、該ファスナーは、上部と中間部でそれぞれ一部開口できるようにしたことを特徴とする。【選択図】図１
0003163364.tif 000002
【実用新案登録請求の範囲】
【請求項１】
電動工具を収容する袋体であって、該袋体の側面の一側に電動工具を収容するための開口部を有し、該開口部へ開閉用のファスナーを付設すると共に、該ファスナーは、上部と中間部でそれぞれ一部開口できるようにしたことを特徴とする工具用防水袋。
【請求項２】
電動工具を収容する袋体であって、該袋体の側面の一側に電動工具を収容するための開口部を有し、該開口部へ開閉用のファスナーを付設すると共に、該ファスナーは、上部と中間部でそれぞれ一部開口できるようにし、前記袋体には工具を突出させる孔を設け、該孔の孔縁部に締付けゴムを付設したことを特徴とする工具用防水袋。
【請求項３】
電動工具を収容する袋体であって、該袋体の側面の一側に電動工具を収容するための開口部と吸気用の通気孔を設け、該開口部へ開閉用のファスナーを付設すると共に、該ファスナーは、上部と中間部でそれぞれ一部開口できるようにし、前記袋体には工具を突出させる孔を設け、該孔の孔縁部に締付けゴムを付設し、前記袋体の、工具の排気部と対応する位置に排気孔を設けたことを特徴とする工具用防水カバー。
【請求項４】
排気孔の外側に、排気時に開く覆片を設けたことを特徴とする請求項３記載の工具用防水袋。
【請求項５】
通気孔は電動工具の吸気孔に対向する位置の防水袋に設け、前記通気孔に開閉可能なフィルム蓋を被着したことを特徴とする請求項３記載の工具用防水袋。
【考案の詳細な説明】
【技術分野】
【０００１】
この考案は、電動工具に雨水、塵埃、又は泥土が掛かるのを防止することを目的とした工具用防水袋に関する。
【背景技術】
【０００２】
従来、主として雨中作業において、電動工具が雨に濡れるのを防止するために、前記電動工具を覆う防水袋と、これを補助する換気補助具が使用されている。また、電動工具の防水すべき部分をケースで囲み、ケース内に加圧空気を入れてケース内を外気より高圧にし、雨水の侵入を防止するようにした提案もされている。
【先行技術文献】
【特許文献】
【０００３】
【特許文献１】特開２００９−２６２２９６号公報
【特許文献２】特許第４００４４８２号公報
【考案の概要】
【考案が解決しようとする課題】
【０００４】
従来使用されている防水カバーは防水布よりなり、工具を収容できる工具カバーと、換気孔に防水カバーが密着するのを有効に防止するための換気補助器とを組み合わせたものが知られているが（特許文献１）、換気は良好にできるけれども、これを組み合わせて使用しなければならない点に複雑化し、かつ嵩張り易い問題点がある。
【０００５】
また、電動工具の防水すべき部分をケースで囲み、ケース内に高圧気体を供給して内部圧力を高め、水の侵入を防止するようにした提案もあるが、空気加圧器具を必要とする問題点があった。
【課題を解決するための手段】
【０００６】
この考案は、防水布又は合成樹脂シートにより作った防水袋に、工具等を収容することによって、容易に防水（防泥、防塵も同じ）目的を達成することに成功したのである。
【０００７】
前記防水袋の場合には、排気の出口を設けることと、工具（例えばドライバー）の突出部付近の水密を考えればよいので、比較的簡単容易に目的を達成することができる。
【０００８】
また、排気についても、防水袋の適所に排気可能の孔を設け、外部から雨水などの侵入を防止すればよいので、比較的簡単に目的を達成することができる。
【考案の効果】
【０００９】
この考案によれば、電動工具と相似形の工具用防水袋の工具挿入口部に開閉ファスナーを設けると共に、工具の突出孔にはゴムを嵌装して弾性的に水密とし、円滑な排気を可能にし、雨水などの浸入を防止した効果がある。
【００１０】
また、工具挿入口部を側面の一側隅に設け、該部にファスナーを取り付けることにより、工具がファスナーへ直接接触乃至力が掛からないようにした効果がある。
【００１１】
更に、電動工具全体を収容するので、防泥、防塵効果がある。
【図面の簡単な説明】
【００１２】
【図１】この考案の使用状態における正面図。
【図２】同じく側面図。
【図３】同じく他の実施例の使用状態における斜視図。
【図４】（ａ）同じく他の実施例の使用状態における正面図、（ｂ）同じく排気部の断面拡大図、（ｃ）同じく他の実施例の排気部の断面拡大図、（ｄ）同じく弾性的水密の実施説明図。
【考案を実施するための形態】
【００１３】
この考案は、工具を収容するために、工具と相似形の工具用防水袋であって、一側に工具を入れる際に用いる縦の工具挿入口部があって、該工具挿入口部にファスナーを付設し、該ファスナーは中間部及び上部を部分開口できるようにしてある。前記開口は、上部が排気用であり、下部は電線などの引出線用の開口である。
【００１４】
また、工具の一部を突き出すための開口部は、ゴムにより工具の突出部と袋の開口縁部とが接着できるようにしてある。
【実施例１】
【００１５】
この考案の実施例を図１、２、３に基づいて説明する。防水布又は合成樹脂シートにより電動工具１を収容できる形状の袋体２を作り、該袋体２の上部一側にドリルなどの取付用突部１ａを覆う筒状部２ａを設け、該筒状部２ａにはゴムバンド３を嵌着して締め付けてある。また袋体２の他側部は、側面図中左側縁に沿って開口部を設け、該開口部にファスナー４、５を縫着し、該ファスナー４、５は下部４ａと上部５ａを開口可能として、この考案の工具用防水袋１０を構成した。前記下部４ａの開口は、電線、吊索６の取り出し口を設けるためであり、上部５ａは排気用の開口を設けるためである。
【００１６】
前記において、袋体２の筒状部２ａを電動工具１の筒状部１ａへ嵌着してからゴムバンド３を嵌めるために、袋体２を矢示１８のように引っ張り、筒状部２ａの位置を決め、ゴムバンド１６又は１７で袋体２を電動工具１に固定し、ついでゴムバンド３を嵌着すれば、ゴムバンドを安定して嵌着することができる。
【００１７】
前記において、袋体２に電動工具１を収容した際に、その排気部に対向する位置に通気孔を設ければ、前記上部５ａは開かなくてもよいことになる。
【実施例２】
【００１８】
この考案の他の実施例を図３に基づいて説明する。電動工具１の吸気孔に対向する工具用防水袋１０に通気孔１１、１１を設ける。前記通気孔１１、１１の数及び形状には限定はないが、大きいと雨水、又は塵埃が吸入され易く、小さいと抵抗が大きくなるので、例えば１ｍｍ〜１０ｍｍの円形又は角形とする。
【００１９】
前記通気孔１１、１１の全面を覆フィルム蓋１２を被着し、該フィルム蓋１２の上縁部１２ａを前記工具用防水袋１０の通気孔域の上方へ接着固定し、前記フィルム蓋１２の下縁部の摘片１２ｂを工具用防水袋１０に設けた掛止片１３へ掛止させる。前記掛止については、例えば面ファスナーを用いて当接固定してもよく、他の手段を用いることもできる。要は、フィルム蓋１２を掛止した際に、風雨により開かないようにすれば目的を達成する。従って、作業を続行できる程度の風雨では、フィルム蓋１２の掛止が外れないようにすることが必要である。
【００２０】
前記フィルム蓋１２を使用しない場合には、矢示１４のように、上方へ折り曲げ、摘片１２ｂを工具用防水袋１０に設けた掛止片１５へ掛止させる。前記摘片１２ｂと掛止片１３、１５の関係は、フィルム蓋１２を被蓋位置又は開いた位置に止めることを目的としているので、風雨によって掛止が外れない程度を求めるものであって、確実な固定を求めるものではない。従って、掛止片１３、１５はポケットのような摘片１２ｂの簡易な止めである。
【００２１】
前記実施例においては、排気孔がないけれども、袋体２と、工具１とを緊密にフィットさせてないので、適宜排気できる。この考案においては、工具の大きさよりも袋体を若干大きく作ってあるので（いわゆるだぶだぶ状）、排気は適宜排出される。
【００２２】
この考案は、工具に雨水又は塵埃が吸入乃至付着されないことを目的としているので、厳密な寸法的規制はない。
【実施例３】
【００２３】
この考案の工具用防水袋の他の実施例を図４に基づいて説明する。電動工具１の排気部に対向する袋体に、複数の排気孔７、７を設け、該排気孔７、７をフィルム蓋８で被覆したものである（図４（ｂ））。また他の例は、各排気孔７、７にそれぞれフィルム蓋８、８を被覆したものである。
【００２４】
前記におけるフィルム蓋８は、排気孔７、７の上縁部で固定し、他縁は固定してないので、電動工具１の排気は矢示９、９のようにフィルム蓋８、８と袋壁との間を通り外部へ放出される。
【００２５】
前記におけるフィルム蓋８、８はその上縁部が排気孔７、７の上縁部へ固定してあるので、排気のみが通過できることになる。
【符号の説明】
【００２６】
１  電動工具
２  袋体
３  ゴムバンド
４、５  ファスナー
６  吊索
７  排気孔
８  フィルム蓋
１０  工具用防水袋
【図１】
0003163364.tif 000003
【図２】
0003163364.tif 000004
【図３】
0003163364.tif 000005
【図４】
0003163364.tif 000006